(57)【特許請求の範囲】
【請求項１】
商用電源を高周波電力に変換するインバータと、前記高周波電力により鍋を加熱する加熱コイルと、前記インバータの少なくともスイッチング素子及び整流素子の発熱を蓄え徐々に放熱する蓄熱部と、前記蓄熱部の温度を測定する温度検出手段と、炊飯動作を制御する制御手段と、炊飯開始を操作するための炊飯開始キーとを備え、前記制御手段は、前記温度検知手段で前記蓄熱部の温度を検知し、この蓄熱部の温度情報により現在の素子の温度が推定でき、炊飯終了後の前記蓄熱部の温度情報から、その炊飯のさらに次の炊飯を行ったときに行程中に達する素子の温度を予測し、素子の温度が炊飯中に定格を越えると推定できる場合は、次回炊飯中に達する温度が素子の定格以下となると推定されるまで炊飯開始のキーを受け付けなくし、炊飯時の温度上昇により炊飯量の判定を行う炊飯量判定手段を備え、制御手段は、前記炊飯量判定手段の出力に応じて温度検出手段の炊飯動作時の推定出力値を変更してなる誘導加熱炊飯器。
【請求項２】
商用電源を高周波電力に変換するインバータと、前記高周波電力により鍋を加熱する加熱コイルと、前記インバータの少なくともスイッチング素子及び整流素子の発熱を蓄え徐々に放熱する蓄熱部と、前記蓄熱部の温度を測定する温度検出手段と、炊飯動作を制御する制御手段と、炊飯開始を操作するための炊飯開始キーとを備え、前記制御手段は、前記温度検知手段で前記蓄熱部の温度を検知し、この蓄熱部の温度情報により現在の素子の温度が推定でき、炊飯終了後の前記蓄熱部の温度情報から、その炊飯のさらに次の炊飯を行ったときに行程中に達する素子の温度を予測し、前記炊飯開始キーを受け付けた後、素子の温度が炊飯中に定格を越えると推定できる場合は、次回炊飯中に達する温度が素子の定格以下となると推定されるまで炊飯動作の開始を待機し、炊飯時の温度上昇により炊飯量の判定を行う炊飯量判定手段を備え、制御手段は、前記炊飯量判定手段の出力に応じて温度検出手段の炊飯動作時の推定出力値を変更してなる誘導加熱炊飯器。
【請求項３】
商用電源を高周波電力に変換するインバータと、前記高周波電力により鍋を加熱する加熱コイルと、前記インバータの少なくともスイッチング素子及び整流素子の発熱を蓄え徐々に放熱する蓄熱部と、前記蓄熱部の温度を測定する温度検出手段と、炊飯動作を制御する制御手段と、炊飯開始を操作するための炊飯開始キーとを備え、前記制御手段は、前記温度検知手段で前記蓄熱部の温度を検知し、この蓄熱部の温度情報により現在の素子の温度が推定でき、炊飯終了後の前記蓄熱部の温度情報から、その炊飯のさらに次の炊飯を行ったときに行程中に達する素子の温度を予測し、素子の温度が炊飯中に定格を越えると推定できる場合は、次回炊飯中に達する温度が素子の定格以下となると推定されるまで炊飯開始のキーを受け付けなくし、炊飯量を検出する重量センサを備え、制御手段は、前記重量センサーの出力に応じて温度検出手段の炊飯動作時の推定出力値を変更してなる誘導加熱炊飯器。
【請求項４】
商用電源を高周波電力に変換するインバータと、前記高周波電力により鍋を加熱する加熱コイルと、前記インバータの少なくともスイッチング素子及び整流素子の発熱を蓄え徐々に放熱する蓄熱部と、前記蓄熱部の温度を測定する温度検出手段と、炊飯動作を制御する制御手段と、炊飯開始を操作するための炊飯開始キーとを備え、前記制御手段は、前記温度検知手段で前記蓄熱部の温度を検知し、この蓄熱部の温度情報により現在の素子の温度が推定でき、炊飯終了後の前記蓄熱部の温度情報から、その炊飯のさらに次の炊飯を行ったときに行程中に達する素子の温度を予測し、前記炊飯開始キーを受け付けた後、素子の温度が炊飯中に定格を越えると推定できる場合は、次回炊飯中に達する温度が素子の定格以下となると推定されるまで炊飯動作の開始を待機し、炊飯量を検出する重量センサを備え、制御手段は、前記重量センサーの出力に応じて温度検出手段の炊飯動作時の推定出力値を変更してなる誘導加熱炊飯器。
【請求項５】
商用電源を高周波電力に変換するインバータと、前記高周波電力により鍋を加熱する加熱コイルと、前記インバータの少なくともスイッチング素子及び整流素子の発熱を蓄え徐々に放熱する蓄熱部と、前記蓄熱部の温度を測定する温度検出手段と、炊飯動作を制御する制御手段と、炊飯開始を操作するための炊飯開始キーとを備え、前記制御手段は、前記温度検知手段で前記蓄熱部の温度を検知し、この蓄熱部の温度情報により現在の素子の温度が推定でき、炊飯終了後の前記蓄熱部の温度情報から、その炊飯のさらに次の炊飯を行ったときに行程中に達する素子の温度を予測し、素子の温度が炊飯中に定格を越えると推定できる場合は、次回炊飯中に達する温度が素子の定格以下となると推定されるまで炊飯開始のキーを受け付けなくし、外気の温度情報を検出する外気温度検出手段を備え、制御手段は、前記外気温度検出手段の出力に応じて温度検出手段の炊飯動作時の推定出力値を変更してなる誘導加熱炊飯器。
【請求項６】
商用電源を高周波電力に変換するインバータと、前記高周波電力により鍋を加熱する加熱コイルと、前記インバータの少なくともスイッチング素子及び整流素子の発熱を蓄え徐々に放熱する蓄熱部と、前記蓄熱部の温度を測定する温度検出手段と、炊飯動作を制御する制御手段と、炊飯開始を操作するための炊飯開始キーとを備え、前記制御手段は、前記温度検知手段で前記蓄熱部の温度を検知し、この蓄熱部の温度情報により現在の素子の温度が推定でき、炊飯終了後の前記蓄熱部の温度情報から、その炊飯のさらに次の炊飯を行ったときに行程中に達する素子の温度を予測し、前記炊飯開始キーを受け付けた後、素子の温度が炊飯中に定格を越えると推定できる場合は、次回炊飯中に達する温度が素子の定格以下となると推定されるまで炊飯動作の開始を待機し、外気の温度情報を検出する外気温度検出手段を備え、制御手段は、前記外気温度検出手段の出力に応じて温度検出手段の炊飯動作時の推定出力値を変更してなる誘導加熱炊飯器。
【発明の詳細な説明】
【０００１】
【発明の属する技術分野】
本発明は、電磁誘導を利用した誘導加熱炊飯器に関するものである。
【０００２】
【従来の技術】
以下、従来の誘導加熱炊飯器について説明する。図１９において、１は炊飯器本体、２は米と水を入れる内鍋、３は内鍋２の底面に配置され誘導加熱により内鍋２を発熱させる本体加熱コイル、４は加熱コイル３の磁束を収束させるフェライト、５は本体加熱コイル３を励磁させるインバータ、６はインバータの素子の発熱を拡散するフィン、７は冷却を行うファン、８は炊飯や保温などを選択する操作部、９は炊飯器の全体の制御回路である。
【０００３】
以上のように構成された従来の誘導加熱炊飯器について以下に説明する。８の操作部により、各動作行程が選択されその行程に会わせて本体加熱コイル３にインバータ５より高周波電流を流す。このインバータ５の素子は、フィン６とファン７により冷却される。ここで、加熱コイル３には高周波電流により磁界が発生し、この磁界によって内鍋２自体に励磁電流が流れ、ジュール熱により内鍋２が発熱体となり、炊飯や保温が行える。
【０００４】
【発明が解決しようとする課題】
しかしながら、従来の構成の誘導加熱式炊飯器では、ファンにより外気を取り入れ冷却し排気する構成としており、ファンの動作音が大きいという課題を有している。たとえば早朝や深夜等の周囲が静かなときにはファンの風切り音が聞こえ、睡眠の障害になったりする。またこの構成のために吸気口と排気口が必要であるため、ここから異物が混入して故障の原因となったりする。
【０００５】
本発明はこのような従来の課題を解決しようとするものであり、発熱部品である半導体スイッチング素子や整流素子の発熱を蓄熱し徐々に放熱していく構成にして素子の温度上昇を抑制して、ファンを使用せずに炊飯が行える誘導加熱炊飯器を提供することを目的としているものである。
【０００６】
【課題を解決するための手段】
上記課題を解決するために、本発明の誘導加熱調理器は、内鍋の下部に設けられ、半導体スイッチング素子により商用電源を高周波に電力変換するインバータと、前記インバータにより高周波電流を流し誘導磁界により鍋にジュール熱を発生させる加熱コイルと、前記インバータのスイッチング素子と整流素子の発熱を蓄える蓄熱部と、蓄熱部の温度を測定する温度検出手段を備え、炊飯後の温度検出手段の温度情報により次回炊飯中に達する温度が素子の定格以下となると推定されるまで炊飯開始のキーを受け付けなくした構成を特徴とするものである。
【０００７】
【発明の実施の形態】
請求項１〜６のいずれか１項に記載の発明は、半導体スイッチング素子により商用電源を高周波に電力変換するインバータと、前記インバータにより励磁される第一の加熱コイルと、前記インバータのスイッチング素子と整流素子の発熱を蓄え徐々に放熱する蓄熱部と、蓄熱部の温度を測定する温度検出手段と、炊飯動作を制御する制御手段と、炊飯開始を操作するための炊飯開始キーとを備え、前記制御手段は、前記温度検知手段で前記蓄熱部の温度を検知し、この蓄熱部の温度情報により現在の素子の温度が推定でき、炊飯終了後の前記蓄熱部の温度情報から、その炊飯のさらに次の炊飯を行ったときに行程中に達する素子の温度を予測し、素子の温度が炊飯中に定格を越えると推定できる場合は、次回炊飯中に達する温度が素子の定格以下となると推定されるまで炊飯開始のキーを受け付けなくする誘導加熱炊飯器、または前記制御手段は、前記温度検知手段で前記蓄熱部の温度を検知し、この蓄熱部の温度情報により現在の素子の温度が推定でき、炊飯終了後の前記蓄熱部の温度情報から、その炊飯のさらに次の炊飯を行ったときに行程中に達する素子の温度を予測し、前記炊飯開始キーを受け付けた後、素子の温度が炊飯中に定格を越えると推定できる場合は、次回炊飯中に達する温度が素子の定格以下となると推定されるまで炊飯動作の開始を待機してなる誘導加熱炊飯器としている。
【０００８】
さらに、請求項１または２に記載の発明は、鍋に接し、鍋の有無と鍋の温度との情報を出力する鍋センサを備え、炊飯時に一定時間パワーを入れ、温度上昇により炊飯量の判定を行い、その炊飯量では素子の温度が炊飯中に定格を越えると推定できる場合は炊飯行程を停止し、所定の温度以下になった場合に再度炊飯行程を行うことを特徴とする請求項１または２に記載の誘導加熱炊飯器としている。
【０００９】
さらに、請求項３または４に記載の発明は、さらに炊飯量を検出する重量センサを備え、炊飯後の温度検出手段の温度情報により次回炊飯する炊飯量に対して、炊飯中に達する温度が素子の定格以下となるまで炊飯開始キーの受け付けしない構成を特徴とする誘導加熱炊飯器としている。
【００１０】
さらに、請求項５または６に記載の発明は、また外気の温度情報を検出する手段を備え、外気の温度に合わせて炊飯中に達する温度が素子の定格以下となるまで炊飯開始キーの受け付けしない構成を特徴とする誘導加熱炊飯器としている。
【００１１】
【実施例】
（実施例１）
本発明の第一の実施例について図面を参照しながら説明する。図１において、１０は炊飯器本体、１１は米と水を入れる内鍋、１２は本体加熱コイル、１３はフェライト、１４はインバータ、１５は蓄熱部、１６は制御回路、１７は蓄熱部の温度を検出するサーミスタ等の温度センサ、１８は運転を選択する操作部である。図２はこの回路図である。１９は高周波でスイッチングを行うスイッチング素子、２０は共振コンデンサ、２１は平滑コンデンサ、２２はチョークコイル、２３は整流素子、２４はドライバ部、２５は電源回路、２６は温度センサである。
【００１２】
以下本実施例の動作について説明する。
【００１３】
図１において、操作部１８の操作された内容が制御回路１６に入力され、制御回路１６からの出力により炊飯工程及び保温工程に合わせてインバータ１４を動作させる。このインバータ１４から高周波電流を本体加熱コイル１２に流し、本体加熱コイル１２に磁界を発生させる。この磁界によって内鍋１１自体に励磁電流が流れ、ジュール熱により内鍋１１自体が発熱体となり鍋全体から包み込むように加熱でき、炊飯等が行える。
【００１４】
図２においてこの回路の動作について説明する。操作部１８からの情報は制御回路１６に入力され、インバータ１４を制御する内容がドライバ部２４に入力される。そこでドライバ部２４からスイッチング素子１９を高速でスイッチングさせる情報を出力する。この出力により整流素子２３、平滑コンデンサ２１を通した直流電圧から、スイッチング素子１９のオン・オフによって、加熱コイル１２に高周波電流が流れ、磁界が発生することになる。
【００１５】
このインバータのスイッチング素子１９および整流素子１９の発熱は図１の蓄熱部１５に蓄えられる。この蓄熱部１５はアルミのフィンと蓄熱材からなる。素子のパッケージからアルミのフィンを用いて熱を素早く拡散させ、この熱をフィンに接し外包した熱容量の高い樹脂等の蓄熱材に熱を蓄える。ここで温度センサ１７でこの蓄熱材の温度を検知しており、この情報により現在の素子の温度が推定できる。そこで炊飯終了後の推定温度の状態からさらに次の炊飯を行うと、その行程中に達する素子の最高温度は図３のように予測できる。そこで炊飯後の温度情報により、次回炊飯中に達する温度が素子の定格以下となると推定されるまで炊飯開始のキーを受け付けなくする。この構成によりファンによる冷却構成ではなく、蓄熱手段を設けることにより、密閉可能な誘導加熱炊飯器を実現でき、且つ常に部品の定格温度を超えることなく炊飯することが可能である。
【００１６】
（実施例２）
本発明の第二の実施例について図面を参照しながら説明する。図４において、２６は鍋センサであり、鍋に接し、鍋の有無と鍋の温度との情報を出力する。その他の構成に関しては前記実施例１の図１で示した構成と同一である。図５において、鍋センサ２６の情報は制御回路１６に入力される。その他の構成と動作は、前記実施例１の図２と同様である。
【００１７】
図４において、インバータの素子の発熱は蓄熱部１５に蓄えられる。温度センサ１７でこの蓄熱材の温度を検知しており、この情報により現在の素子の温度が推定できる。また炊飯終了後の温度からさらに次の炊飯を行うと、その行程中に達する最高温度は炊飯量により炊飯時間が変わるため、図６のように予測できる。すなわち炊飯量が少ないと温度上昇も少なくてすむ。そこで炊飯後の温度情報と、炊飯時に一定時間パワーを入れ、温度上昇により判定した炊飯量の情報より、その炊飯量での素子の最高温度が定格を越えると推定できる場合は炊飯行程を停止し、所定の温度以下になった場合に再度炊飯行程を行うようにする。一時的にパワーを入れるが鍋内の温度が高温とはならないため、炊飯性能には影響はない。さらに中温（４０℃程度）で放置すると米の吸収率が良くなるという効果もある。この結果、ファンをなくした密閉可能な誘導加熱炊飯器が可能である。
【００１８】
（実施例３）
本発明の第三の実施例について図面を参照しながら説明する。図７において、２７は重量センサであり、鍋の中に入れた米と水の重量を検出する。その他の構成に関しては前記実施例１の図１で示した構成と同一である。図８において、重量センサ２７の情報は制御回路１６に入力される。その他の構成と動作は、前記実施例１の図２と同様である。
【００１９】
このインバータの素子の発熱は図７の蓄熱部１５に蓄えられる。温度センサ１７でこの蓄熱材の温度を検知しており、この情報により現在の素子の温度が推定できる。また炊飯終了後の温度からさらに次の炊飯を行うと、その工程中に達する最高温度は炊飯量により炊飯時間が変わる。すなわち炊飯量が少ないと温度上昇も少なくてすむ。そこで炊飯後の温度情報と、次回炊飯する炊飯量を検知する重量センサ２７の情報により、炊飯中に達する温度が素子の定格以下となると推定されるまで炊飯開始のキーを受け付けなくする。この結果、ファンをなくした密閉可能な誘導加熱炊飯器とし早く次の炊飯が行えることが可能である。
【００２０】
（実施例４）
本発明の第四の実施例について図面を参照しながら説明する。図９において、２８は第２の温度センサであり、炊飯器の置かれた外気の温度を検出する。その他の構成に関しては前記実施例２で示した構成と同一である。図１０において、温度センサ２８の情報は制御回路１６に入力される。その他の構成と動作は、前記実施例２と同様である。
【００２１】
このインバータの素子の発熱は図９の蓄熱部１５に蓄えられる。温度センサ１７でこの蓄熱材の温度を検知しており、この情報により現在の素子の温度が推定できる。また炊飯終了後の温度からさらに次の炊飯を行うと、その工程中に達する最高温度は炊飯量に左右される。すなわち炊飯量が少ないと炊飯時間が短くなり温度上昇も少なくてすむ。また外気の温度によって蓄熱材から炊飯器内気さらに筐体から外気という放熱量も変わる。外気との温度差があるほどすなわち外気の温度がより低いほど放熱量が多くなり、素子の温度上昇が抑えられる。そこで炊飯後の温度情報と、次回炊飯する炊飯量を検知する重量センサの情報と、さらに外気の温度により、炊飯中に達する温度が素子の定格以下となると推定されるまで炊飯開始のキーを受け付けなくする。この結果、ファンをなくした密閉可能な誘導加熱炊飯器でより早く次の炊飯が行えることが可能である。
【００２２】
（実施例５）
本発明の第五の実施例について図面を参照しながら説明する。図１１において、２９は表示手段であり、現在の炊飯器の状態を表示する。その他の構成に関しては前記実施例３で示した構成と同一である。図１２において、制御回路１６から表示手段２９へ情報が出力される。その他の構成と動作は、前記実施例４と同様である。
【００２３】
炊飯後の温度情報と、次回炊飯する炊飯量を検知する重量センサ６の情報と、さらに外気の温度により、炊飯中に達する温度が素子の定格以下となると推定されるまで炊飯開始のキーを受け付けなくする。さらに表示手段２９で現在炊飯が可能かどうかの表示を行い、お知らせする。この結果、ファンをなくした密閉可能な誘導加熱炊飯器でより早く次の炊飯が行え、使いやすくすることが可能である。
【００２４】
（実施例６）
本発明の第六の実施例について図面を参照しながら説明する。図１３において、３０は表示手段であり、現在の炊飯器の状態を表示する。その他の構成に関しては前記実施例４で示した構成と同一である。図１４において、制御回路１６から表示手段３０へ情報が出力される。その他の構成と動作は、前記実施例４と同様である。
【００２５】
炊飯後の温度情報と、さらに外気の温度により、表示手段２９で現在どれだけの量の炊飯が可能かどうかの表示を行いお知らせする。また間違ってそれ以上の炊飯量を炊飯する場合には、炊飯量を検知する重量センサの情報から判断し、炊飯中に達する温度が素子の定格以下となると推定されるまで炊飯開始のキーを受け付けなくする。この結果、ファンをなくした密閉可能な誘導加熱炊飯器でより早く次の炊飯が行え、使いやすくすることが可能である。
【００２６】
（実施例７）
本発明の第七の実施例について図面を参照しながら説明する。図１５において、１０は炊飯器本体、１１は米と水を入れる内鍋、１２は本体加熱コイル、１３はフェライト、１４はインバータ、１５は蓄熱部、１６は制御回路、１８は運転を選択する操作部、３１は計時手段であり、時間の計測を常に行っているものである。図１６はこの回路図である。１９は高周波でスイッチングを行うスイッチング素子、２０は共振コンデンサ、２１は平滑コンデンサ、２２はチョークコイル、２３は整流素子、２４はドライバ部、２５は電源回路、３１は計時手段である。このインバータの動作や、素子の発熱を蓄熱する構成等は実施例１と同様である。
【００２７】
炊飯後の素子の温度は、計時手段３１による時間計測で推定できる。すなわち炊飯後１時間程度経過すると蓄熱部に蓄えた熱は徐々に放熱されており、常温に戻っている。また保温を長時間していたとしても、比較的低温で安定した状態になっている。この炊飯後の経過時間や炊飯後連続して保温していた時間等を計時手段３１で測定しているのでその現在の素子の温度が推定できる。この結果、次回炊飯中に達する温度が素子の定格以下となるかどうかの推定ができる。よって計時手段からの情報により、温度上昇が定格以下と推定されるまで炊飯開始のキーを受け付けなくした構成を特徴とする誘導加熱炊飯器とするものである。
【００２８】
（実施例８）
本発明の第八の実施例について図面を参照しながら説明する。図１７において、３２は表示手段であり、現在の炊飯器の状態を表示する。その他の構成に関しては前記実施例７で示した構成と同一である。
【００２９】
図１８において、制御回路１６から表示手段３２へ情報が出力される。その他の構成と動作は、前記実施例７と同様である。
【００３０】
炊飯後の素子の温度は、計時手段３１による時間計測で推定できる。この結果、次回炊飯中に達する温度が素子の定格以下となるかどうかの推定ができる。よって計時手段３１からの情報により、温度上昇が定格以下と推定されるまで炊飯開始のキーを受け付けなくし、さらに表示手段３２で現在炊飯が可能かどうかの表示を行い、お知らせする。この結果、ファンをなくした密閉可能な誘導加熱炊飯器でより早く次の炊飯が行える構成を特徴とする誘導加熱炊飯器とするものである。
【００３１】
（実施例９）
本発明の第九の実施例について図面を参照しながら説明する。構成は実施例１の図１および実施例７の図１５と同様の構成であるが、制御回路１６からドライブ部２４へパワー低減の信号が送られる構成となっている。
【００３２】
そこで次回炊飯中に達する温度が素子の定格以上と推定される場合には、その程度に合わせてインバータの出力電力を相対的に低下させ、インバータの発熱を低減させて、素子の温度上昇を低減して定格以上とならないようにする。この構成により常時炊飯可能でかつファンのない蓄熱方式の誘導加熱炊飯器とすることができるものである。
【００３３】
（実施例１０）
本発明の第十の実施例について図面を参照しながら説明する。構成は実施例１の図１および実施例７の図１５と同様の構成である。そこで次回炊飯中に達する温度が素子の定格以上と推定される場合には、制御回路１６で炊飯工程を通常より長くする。それにより加熱コイルに高周波電流を流す時間をオンオフを繰り返すことで長くなる。この結果、素子が長時間連続動作することによる急激な温度上昇が起こらなくでき、素子の温度上昇が定格以上とならない。この構成により常時炊飯可能でかつファンのない蓄熱方式の誘導加熱炊飯器とすることができるものである。
【００３４】
（実施例１１）
本発明の第十一の実施例について図面を参照しながら説明する。構成は実施例１と同様の構成である。
【００３５】
次回炊飯中に達する温度が素子の定格以上と推定される場合には、操作部のキーは一旦受け付ける。そこでスイッチに内蔵されたＬＥＤ等の表示手段を点滅させまだ待機中であることを知らせる。その後炊飯中に達する温度が素子の定格以下と推定されてから炊飯行程に移行する。この構成でファンのない構成の誘導加熱炊飯器を実現している。
【００３６】
【発明の効果】
以上のように、本請求項１〜６記載の発明によれば、半導体スイッチング素子により商用電源を高周波に電力変換するインバータと、前記インバータにより励磁される第一の加熱コイルと、前記インバータのスイッチング素子と整流素子の発熱を蓄える蓄熱部と、蓄熱部の温度を測定する温度検出手段を備え、炊飯後の温度検出手段の温度情報等により炊飯動作の開始や継続を制御できることとなり、ファン等を用いることなく、発熱素子の定格以下の使用を適切に確保した誘導加熱炊飯器を提供することができる。
【図面の簡単な説明】
【図１】  本発明の第一の実施例の誘導加熱炊飯器の構成図
【図２】  同、誘導加熱炊飯器の回路図
【図３】  同、誘導加熱炊飯器の素子の温度上昇の特性図
【図４】  本発明の第二の実施例の誘導加熱炊飯器の構成図
【図５】  同、誘導加熱炊飯器の回路図
【図６】  同、誘導加熱炊飯器の素子の温度上昇の特性図
【図７】  本発明の第三の実施例の誘導加熱炊飯器の構成図
【図８】  同、誘導加熱炊飯器の回路図
【図９】  本発明の第四の実施例である誘導加熱炊飯器の構成図
【図１０】  同、誘導加熱炊飯器の回路図
【図１１】  本発明の第五の実施例の誘導加熱炊飯器の構成図
【図１２】  同、誘導加熱炊飯器の回路図
【図１３】  本発明の第六の実施例の誘導加熱炊飯器の構成図
【図１４】  同、誘導加熱炊飯器の回路図
【図１５】  本発明の第七の実施例の誘導加熱炊飯器の構成図
【図１６】  同、誘導加熱炊飯器の回路図
【図１７】  本発明の第八の実施例の誘導加熱炊飯器の構成図
【図１８】  同、誘導加熱炊飯器の回路図
【図１９】  従来例の誘導加熱炊飯器の構成図
【符号の説明】
１、１０  炊飯器本体
２、１１  内鍋
３、１２  加熱コイル
４、１３  フェライト
５、１４  インバータ
６  フィン
７  ファン
８、１８  操作部
９、１６  制御回路
１５  蓄熱部
１７、２８  温度センサ
１９  スイッチング素子
２０  共振コンデンサ
２１  平滑コンデンサ
２２  チョークコイル
２３  整流素子
２４  ドライバ部
２５  電源回路
２６  鍋センサ
２７  重量センサ
２９、３０、３２  表示手段
３１  計時手段
【図１】
0003713840.tif 000002
【図２】
0003713840.tif 000003
【図３】
0003713840.tif 000004
【図４】
0003713840.tif 000005
【図５】
0003713840.tif 000006
【図６】
0003713840.tif 000007
【図７】
0003713840.tif 000008
【図８】
0003713840.tif 000009
【図９】
0003713840.tif 000010
【図１０】
0003713840.tif 000011
【図１１】
0003713840.tif 000012
【図１２】
0003713840.tif 000013
【図１３】
0003713840.tif 000014
【図１４】
0003713840.tif 000015
【図１５】
0003713840.tif 000016
【図１６】
0003713840.tif 000017
【図１７】
0003713840.tif 000018
【図１８】
0003713840.tif 000019
【図１９】
0003713840.tif 000020